(57)【要約】 【課題】手動装置の安価であるという長所を有し、熟練者でなくとも正確な測定値を得ることができる新規な引張試験機の標線追跡装置を提供することを目的とする。【課題手段】ガイドシャフト１に案内されて移動可能とし、先端に試験片４を挟持する挟持部５を有する一方の挟持アーム３と、同じくガイドシャフト１に案内されて移動可能とし、上記一方の挟持アーム３に平行して位置し、先端に試験片４を挟持する挟持部１２を有する他方の挟持アーム１１とからなり、上記一方の挟持アーム３に、他方の挟持アーム１１を貫通して伸びる伸びスケール２１を設ける一方、他方の挟持アーム１１に指針線３４を有する表示枠３５を上記伸びスケール２１の直前に位置付けて固定し、それぞれの挟持アーム３，１１の挟持部５，１２に挟持された試験片４の伸びにより試験片４が破断した際の伸び量を伸びスケール２１と表示枠３５の指針線３４により読み取るようにしたことを特徴とする。【選択図】  図１
2011133228.tif 000002
【特許請求の範囲】
【請求項１】
ガイドシャフトに案内されて移動可能とし、先端に試験片を挟持する挟持部を有する一方の挟持アームと、同じくガイドシャフトに案内されて移動可能とし、上記一方の挟持アームに平行して位置し、先端に試験片を挟持する挟持部を有する他方の挟持アームとからなり、上記一方の挟持アームに、他方の挟持アームを貫通して伸びる伸びスケールを設ける一方、他方の挟持アームに指針線を有する表示枠を上記伸びスケールの直前に位置付けて固定し、それぞれの挟持アームの挟持部に挟持された試験片の伸びにより試験片が破断した際の伸び量を伸びスケールと表示枠の指針線により読み取るようにしたことを特徴とする引張試験機の標線追跡装置。
【請求項２】
上記ガイドシャフトを垂直に位置付け、一方の挟持アームを水平に位置付けて上部挟持アームとし、他方の挟持アームを上記上部挟持アームの下方に水平に位置付けて下部挟持アームとしてあることを特徴とする上記請求項１に記載の引張試験機の標線追跡装置。
【請求項３】
上記下部挟持アームに上下方向に揺動するスイングアームをヒンジピンにより軸支してあり、このスイングアームの先端に挟持部を有し、該ヒンジピンに対して挟持部の反対側に下向きに突出するリリースロッドを設ける一方、下部挟持アームの下部にスプリングによって上記伸びスケール方向に弾圧力が付与されたストッパーロッドを設け、このストッパーロッドに上記リリースロッドと係合解除するストッパーを設け、試験片の破断時の試験片の反力により、スイングアームをその挟持部が下方向に向くよう揺動し、リリースロッドとストッパーの係合を解除してストッパーロッドを突出作動し、伸びスケールを下部挟持アームの下部に固定したストッパーエッジに挟持固定するようにしたことを特徴とする上記請求項２に記載の引張試験機の標線追跡装置。
【請求項４】
上記上部挟持アームに上向きに摺動可能に貫通させてガイドロッドを設け、このガイドロッドを緩衝用バネによって常に上向きに弾圧し、このガイドロッドの下端に上記伸びスケールを設け、伸びスケールを下部挟持アームの下部に固定したストッパーエッジに挟持固定した際、伸びスケールを固定した状態で上部挟持アームが上動可能にしてあることを特徴とする上記請求項２又は３に記載の引張試験機の標線追跡装置。
【請求項５】
上記ストッパーロッドにリセットレバーを設けてある上記請求項２に記載の引張試験機の標線追跡装置。
【請求項６】
上記伸びスケールの裏面に上記ストッパーエッジとの挟持固定を確実とするギザギザを設けてある上記請求項２乃至５の何れかに記載の引張試験機の標線追跡装置。
【発明の詳細な説明】
【技術分野】
【０００１】
本発明は、引張試験機における試験片の伸長度を測定する標線追跡装置
に関する。
【背景技術】
【０００２】
従来の引張試験機における試験片伸び測定のための標線追跡装置の一例としては、スケールを手に持って、試験片の伸びを目視によって追尾し、試験片の破断時の伸び量を瞬時に読み取る方法があった。
この読み取り方法では、スケールを手に持って人の目視により試験片の伸び量を読み取っていたため、電気などの動力源が不要であり、きわめて安価であるという長所があるが、試験片の上下の標線を目視により同時に追尾するので、作業者の熟練を要するし、試験片破断時の伸び量を瞬時に読み取るため、読み取り値の正確さが期待できない上、作業者による読み取り値がバラつくという短所がある。
【０００３】
次に、従来の引張試験機の標線追跡装置として、試験片のそれぞれの標線を、それぞれ独立した挟持アームにより挟持して、挟持アームの相対位置をエンコーダの電気信号として検出、測定する装置が知られている（例えば特許文献１）。
この公知の装置では、自動追尾、記録が可能であり、作業者の熟練が不要の上、作業者による差が小さいという長所がある。しかし、上記手動方法に比べてエンコーダ等のセンサーや電気信号を発生、処理する装置が必要となるため、高価になるという短所がある。  
【０００４】
さらに、従来の引張試験機の標線追跡装置として、光学的処理を利用して、試験片を機械的に挟持することなしに、標線を検出し、追尾するヘッドを備える装置が知られている。
この公知の装置では、自動追尾、記録が可能であり、作業者の熟練が不要の上、作業者による差が小さいという長所がある。さらに、試験片を機械的に挟持する必要がないため、試験片に与える影響がきわめて少ないという長所がある。しかし、この装置は光学的処理をするための装置が必要であり、ヘッドを駆動する機構やそれを制御する装置も必要となり、さらに高価になるという短所がある。
【先行技術文献】
【特許文献】
【０００５】
【特許文献１】特開平９−２９２３２３号公報
【発明の概要】
【発明が解決しようとする課題】
【０００６】
上記公知の標線追跡装置は、それぞれ長所と短所があるが、手動の装置は安価であるが正確性に欠けるという課題があり、自動の装置は正確性はあるが高価であるという課題がある。
本発明は、この課題を解決するために、手動装置の安価であるという長所を有し、熟練者でなくとも正確な測定値を得ることができる新規な引張試験機の標線追跡装置を提供することを目的とする。
【課題を解決するための手段】
【０００７】
上記目的を達成するために、本発明引張試験機の標線追跡装置は、ガイドシャフトに案内されて移動可能とし、先端に試験片を挟持する挟持部を有する一方の挟持アームと、同じくガイドシャフトに案内されて移動可能とし、上記一方の挟持アームに平行して位置し、先端に試験片を挟持する挟持部を有する他方の挟持アームとからなり、上記一方の挟持アームに、他方の挟持アームを貫通して伸びる伸びスケールを設ける一方、他方の挟持アームに指針線を有する表示枠を上記伸びスケールの直前に位置付けて固定し、それぞれの挟持アームの挟持部に挟持された試験片の伸びにより試験片が破断した際の伸び量を伸びスケールと表示枠の指針線により読み取るようにしたことを特徴とする。
【０００８】
また、上記目的を達成するために、本発明引張試験機の標線追跡装置は、上記ガイドシャフトを垂直に位置付け、一方の挟持アームを水平に位置付けて上部挟持アームとし、他方の挟持アームを上記上部挟持アームの下方に水平に位置付けて下部挟持アームとしてあることを特徴とする。
【０００９】
さらに、本発明引張試験機の標線追跡装置は、上記下部挟持アームに上下方向に揺動するスイングアームをヒンジピンにより軸支してあり、このスイングアームの先端に挟持部を有し、該ヒンジピンに対して挟持部の反対側に下向きに突出するリリースロッドを設ける一方、下部挟持アームの下部にスプリングによって上記伸びスケール方向に弾圧力が付与されたストッパーロッドを設け、このストッパーロッドに上記リリースロッドと係合解除するストッパーを設け、試験片の破断時の試験片の反力により、スイングアームをその挟持部が下方向に向くよう揺動し、リリースロッドとストッパーの係合を解除してストッパーロッドを突出作動し、伸びスケールを下部挟持アームの下部に固定したストッパーエッジに挟持固定するようにしたことを特徴とする。
【００１０】
上記上部挟持アームに上向きに摺動可能に貫通させてガイドロッドを設け、このガイドロッドを緩衝用バネによって常に上向きに弾圧し、このガイドロッドの下端に上記伸びスケールを設け、伸びスケールを下部挟持アームの下部に固定したストッパーエッジに挟持固定した際、伸びスケールを固定した状態で上部挟持アームが上動可能にしてあることを特徴とする。
また、上記ストッパーロッドにリセットレバーを設けてあるとよい。
さらに、上記伸びスケールの裏面に上記ストッパーエッジとの挟持固定を確実とするギザギザを設けてあるとよい。
【発明の効果】
【００１１】
本発明の引張試験機の標線追跡装置は、ガイドシャフトに案内されて移動可能とし、先端に試験片を挟持する挟持部を有する一方の挟持アームと、同じくガイドシャフトに案内されて移動可能とし、上記一方の挟持アームに平行して位置し、先端に試験片を挟持する挟持部を有する他方の挟持アームとからなり、上記一方の挟持アームに、他方の挟持アームを貫通して伸びる伸びスケールを設ける一方、他方の挟持アームに指針線を有する表示枠を上記伸びスケールの直前に位置付けて固定し、それぞれの挟持アームの挟持部に挟持された試験片の伸びにより試験片が破断した際の伸び量を伸びスケールと表示枠の指針線により読み取るようにしたことを特徴とするから、試験片の破断時における伸びスケールの試験片の伸び量を示す目盛を指針線により瞬時に読み取ることができるから、比較的正確な伸び量を読み取れる標線追跡装置を安価に提供できる効果がある。
【００１２】
また、本発明の引張試験機の標線追跡装置は、上記ガイドシャフトを垂直に位置付け、一方の挟持アームを水平に位置付けて上部挟持アームとし、他方の挟持アームを上記上部挟持アームの下方に水平に位置付けて下部挟持アームとしてあることを特徴とするから、一般的な試験片を上下方向に引っ張る引張試験機の標線追跡装置として、比較的正確な伸び量を読み取れて装置を安価に提供できる効果がある。
この請求項２による発明では、試験片を上下方向に引っ張る引張試験機の
標線追跡装置として提供するが、上記請求項１により試験片を水平方向にまたは斜め方向に引っ張る引張試験機の標線追跡装置として提供できる。
【００１３】
さらに、本発明の引張試験機の標線追跡装置は、上記下部挟持アームに上下方向に揺動するスイングアームをヒンジピンにより軸支してあり、このスイングアームの先端に挟持部を有し、該ヒンジピンに対して挟持部の反対側に下向きに突出するリリースロッドを設ける一方、下部挟持アームの下部にスプリングによって上記伸びスケール方向に弾圧力が付与されたストッパーロッドを設け、このストッパーロッドに上記リリースロッドと係合解除するストッパーを設け、試験片の破断時の試験片の反力により、スイングアームをその挟持部が下方向に向くよう揺動し、リリースロッドとストッパーの係合を解除してストッパーロッドを突出作動し、伸びスケールを下部挟持アームの下部に固定したストッパーエッジに挟持固定するようにしたことを特徴とするから、試験片の破断時に瞬時にストッパーロッドを突出作動し、伸びスケールを固定挟持アームの下部に固定したストッパーエッジに挟持固定し、伸びスケールをしばらく停止した状態を維持するから、伸びスケールの試験片の伸び量を示す目盛りを指針線により正確、確実に読み取ることができる効果がある。
【００１４】
また、本発明の引張試験機の標線追跡装置は、上記上部挟持アームに上向きに摺動可能に貫通させてガイドロッドを設け、このガイドロッドを緩衝用バネによって常に上向きに弾圧し、このガイドロッドの下端に上記伸びスケールを設け、伸びスケールを下部挟持アームの下部に固定したストッパーエッジに挟持固定した際、伸びスケールを固定した状態で上部挟持アームが上動可能にしてあることを特徴とするから、伸びスケールを下部挟持アームの下部に固定したストッパーエッジに挟持固定し、伸びスケールをしばらく停止した状態を維持しても、上部挟持アームを僅かに上方に逃がすことができ、衝撃を和らげることができる効果がある。
さらに、上記ストッパーロッドにリセットレバーを設けてあるから、リセットレバーを操作することにより、ストッパーロッドとストッパーエッジによる伸びスケールの挟持固定を即座に解除できる効果がある。
また、本発明の引張試験機の標線追跡装置は、上記伸びスケールの裏面に上記ストッパーエッジとの挟持固定を確実とするギザギザを設けてあるから、ストッパーロッドとストッパーエッジによる伸びスケールの挟持固定を正確な位置で行うことができ、試験片の正確な伸び量を測定することができる効果がある。
【図面の簡単な説明】
【００１５】
【図１】本発明の引張試験機の標線追跡装置の側面図で一部を断面で示してある。
【図２】同じく標線追跡装置の正面図である。
【図３】同じく標線追跡装置の平面図である。
【図４】同じく標線追跡装置の試験片破断時の作動状態を示す側面図で一部を断面で示してある。
【図５】一部を断面で示した要部の正面図である。
【発明を実施するための形態】
【００１６】
以下、図面に示した本発明の実施の形態について詳細を説明する。
ガイドシャフト１に上下移動可能に嵌装したスライドベアリング２に水平な上部挟持アーム３を設けてあり、この上部挟持アーム３の先端に試験片４の上方の標線位置を挟持する挟持部５を有する。この挟持部５にはクリップ開閉ハンドル７の開閉操作により開閉し、試験片４を挟持するクリップ６が設けてある。この上部挟持アーム３の後端には回り止めローラー８が設けてあり、ガイドシャフト１に平行して起立した回り止めシャフト９に当ててある。また、この上部挟持アーム３に本発明の特徴である後述の伸びスケールを垂下させて設けてある。  
【００１７】
上記上部挟持アーム３の下方に、同じくシャフト１に上下移動可能に嵌装したスライドベアリング１０に水平な下部挟持アーム１１を設けてあり、この下部挟持アーム１１の先端に試験片４の下方の標線位置を挟持する挟持部１２を有する。この挟持部１２にはクリップ開閉ハンドル１３の開閉操作により開閉し、試験片４を挟持するクリップ１４が設けてある。この下部挟持アーム１１の後端には回り止めローラー１５が設けてあり、回り止めシャフト９に当ててある。
【００１８】
上記下部挟持アーム１１は、先方を音叉状部１６に形成してあり、この音叉状部１６の空所部にスイングアーム１７をヒンジピン１８により上下方向に揺動可能に軸支してあり、このスイングアーム１７の先端に挟持部１２を有する。
一方、上記上部挟持アーム３には、上向きに摺動可能に貫通させて一対のガイドロッド１９，１９を設け、このガイドロッド１９，１９には緩衝用バネ２０，２０によって常に上向きに断圧力を付与してある。このガイドロッド１９，１９の下端に伸びスケール２１を設けてあり、この伸びスケール２１を上記下部挟持アーム１１の音叉状部１６によって形成された空所２２を貫通させて下方に垂下させてある。この伸びスケール２１にはその表面に寸法目盛を表示してある。
【００１９】
上記下部挟持アーム１１の下部には後述するストッパーロッドを出入可能に摺動支持する支持部２３を設けてあり、この支持部２３に伸びスケール２１方向に弾圧バネ４の弾圧力で突出性向を付与したストッパーロッド２５を設けてある。このストッパーロッド２５と伸びスケール２１を挟んで反対側に下部挟持アーム１１の下部に設けてストッパーエッジ２６が設けて、ストッパーロッド２５の突出で伸びスケール２１をストッパーエッジ２６に押圧挟持し、伸びスケール２１の動きを止めるようにしてある。
【００２０】
スイングアーム１７にはピン２８によって支持されたリリースロッド２７を設けてあり、スイングアーム１７が水平な状態では、このリリースロッド２７がストッパーロッド２５に設けたストッパー２９と係止してストッパーロッド２５を弾圧バネ２４の弾圧力に抗して引き込み状態に維持してある。即ち、引張試験機によって試験片４を引っ張り作動し、限界になって試験片が破断した際に、下部挟持アーム１１のスイングアーム１７が下向きに揺動することにより、リリースロッド２７とストッパー２９との係合が解除されストッパーロッド５が弾圧バネ２４の弾圧力により後方に突出し、伸びスケール２１をストッパーエッジに押圧挟持して伸びスケール２１の移動を停止する。
また、スイングアーム１７の音叉状部１６にはブリッジ形状の保持部３０を設け、この保持部３０にスイングアーム１７の傾斜を止めるリミットアジャスタ３１を儲け、スイングアーム１７の後端にはスイングアーム１７を水平に止めるリミットアジャスタ３２を設けてある。
また、下部挟持アーム１１の下部に設けた支持部２３に本発明の特徴となる指針線３４を有する表示枠３５を固設してある。
さらに、ストッパーロッド２５にはその突出状態を元に戻すためのリセットレバー３６を設けてあり、伸びスケール２１の裏面には伸びスケール２１のストッパーエッジ２６との挟持固定を確実とするためのギザギザ３７を設けてある。
【００２１】
上記の通りの構成からなる本発明標線追跡装置は、次のように作動する。先ず、上部挟持アーム３及び下部挟持アーム１１は、それぞれその挟持部５及び１２に試験片４の上下の標線部分を挟持する。試験片４は引張試験機の引っ張り作用により上下方向に引っ張られて伸びる。この試験片４の伸び作用によって上部挟持アーム３及び下部挟持アーム１１がガイドシャフト１に案内されて上下方向に移動する。この挟持アームの移動に伴って伸びスケール２１と表示枠３５が相対的に変位し、伸びスケール２１の目盛と表示枠３５の指針線３４とを目視により視認できる。
【００２２】
そこで、試験片４の伸びの限界になり、試験片４が破断すると、試験片４の破断の反動により下部挟持アーム１１のスイングアーム１７がヒンジピン１８を中心にして下向きに揺動する（図４図示）。この揺動によってリリースロッド２７が上動しストッパーロッド２５のストッパー２９との係合を解除する。その結果ストッパーロッド２５が弾圧バネ２４の弾圧力により伸びスケール２１の方向に突出し、伸びスケール２１をストッパーエッジ２６の間に挟持固定する。その際の伸びスケール２１の目盛が表示枠３５の指針線３４によって読み取られ、その目盛の数量が試験片４の伸び量となる。
この作用によって試験片４の伸び量を人の目によって目視し、しかも目視量が正確である。
【符号の説明】
【００２３】
１    ガイドシャフト
２    スライドベアリング
３    上部挟持アーム
４    試験片
５    挟持部
６    クリップ
７    クリップ開閉ハンドル
８    回り止めローラー
９    回り止めシャフト
１０  スライドベアリング
１１  下部挟持アーム
１２  挟持部
１３  クリップ開閉ハンドル
１４  クリップ
１５  回り止めローラー
１６  音叉状部
１７  スイングアーム
１８  ヒンジピン
１９  ガイドロッド
２０  緩衝用バネ
２１  伸びスケール  
２２  空所
２３  支持部
２４  弾圧バネ
２５  ストッパーロッド
２６  ストッパーエッジ
２７  リリースロッド
２８  ピン
２９  ストッパー
３０  保持部
３１  リミットアジャスタ
３２  リミットアジャスタ
３４  指針線
３５  表示枠
３６  リセットレバー
３７  ギザギザ
【図１】
2011133228.tif 000003
【図２】
2011133228.tif 000004
【図３】
2011133228.tif 000005
【図４】
2011133228.tif 000006
【図５】
2011133228.tif 000007